(57)【要約】【課題】中間バーの上下の遮蔽材にハニカムスクリーンとプリーツスクリーンを用いた際に、これらを展開したときに意匠的な違和感を生じさせることがない上下２段式ブラインドを提供する。【解決手段】プリーツスクリーン１３０及びハニカムスクリーン１５０は、これらを畳み込んだ状態で、プリーツスクリーン１３０のプリーツ１３１の前後幅がハニカムスクリーン１５０のセル１５１の前後幅の０．４〜０．８倍であり、これらを展開した状態で、プリーツ１３１のピッチの大きさがセル１５１のピッチの大きさの０．７〜１．２倍である。【選択図】図２
2015081483.tif 000002
【特許請求の範囲】
【請求項１】
中間バー（１４０）の上下にそれぞれ異なる遮蔽材（１３０、１５０）が配設される上下２段式ブラインドにおいて、
前記上下の遮蔽材のうち、一方が上下方向に複数のプリーツ（１３１）が畳み込み及び展開可能に形成されてなるプリーツスクリーン（１３０）であり、他方が断面６角形の筒状のセル（１５１）が上下方向に連結されて畳み込み及び展開可能に形成されてなるハニカムスクリーン（１５０）であり、
前記プリーツスクリーン及びハニカムスクリーンを展開した状態で、前記プリーツスクリーンの前記プリーツのピッチと前記ハニカムスクリーンの前記セルのピッチとがほぼ同じであることを特徴とする上下２段式ブラインド。
【請求項２】
前記プリーツスクリーン及び前記ハニカムスクリーンは、これらを畳み込んだ状態で、前記プリーツの前後幅が前記セルの前後幅よりも小さいことを特徴とする請求項１記載の上下２段式ブラインド。
【請求項３】
前記プリーツスクリーン及び前記ハニカムスクリーンは、これらを畳み込んだ状態で、前記プリーツの前後幅が前記セルの前後幅の０．４〜０．８倍であり、これらを展開した状態で、前記プリーツのピッチが前記セルのピッチの０．７〜１．２倍であることを特徴とする請求項２記載の上下２段式ブラインド。
【請求項４】
前記プリーツスクリーン及び前記ハニカムスクリーンを畳み込んだ状態で、前記プリーツの前後幅と前記セルの前後幅とがほぼ同じであることを特徴とする請求項１記載の上下２段式ブラインド。
【発明の詳細な説明】
【技術分野】
【０００１】
本発明は、中間バーの上下にそれぞれ異なる遮蔽材が配設される上下２段式ブラインドに関する。
【背景技術】
【０００２】
ユーザーがブラインドを選択する場合、室内に差し込む日差しを調整したり、室内の目隠しをするなどという機能面とともに、室内のインテリアに合わせたり、好みのデザインにするなどのデザイン性も重視される。
このように、機能面とともにデザイン性も重視したブラインドとして、中間バーの上下に遮蔽材がそれぞれ配設される上下２段式ブラインドが知られている（特許文献１参照）。このような上下２段式ブラインドでは、上下の遮蔽材に同種のものを組み合わせたり、異種のものを組み合わせたりして１つのブラインドを構成するため、上下の遮蔽材の外観や風合いの違いによる意匠の多様化を可能としている。
例えば、上側の遮蔽材にハニカムスクリーンを用い、下側の遮蔽材にプリーツスクリーンを用いることにより、デザイン性が向上するとともに、ハニカムスクリーンを用いることにより断熱性が格別に向上するという機能面での効果も得られる。
【先行技術文献】
【特許文献】
【０００３】
【特許文献１】特開２００６−１３８１０８号公報
【発明の概要】
【発明が解決しようとする課題】
【０００４】
ところで、プリーツスクリーンは、生地を一定間隔毎に互い違いの方向に畳み込んで構成されており、一方、ハニカムスクリーンは蜂の巣状の断面を構成するように、２枚のプリーツスクリーンを前後に接合したり、蜂の巣状の断面を有する各セルを上下方向に順次連結したりすることにより構成されている。このため、ハニカムスクリーンの正面視外観はプリーツスクリーンと同様に、上下方向に複数のプリーツが形成されたものとなる。
【０００５】
また、ハニカムスクリーンとプリーツスクリーンは、畳み込んだ際に、前後幅が同じになるように構成されている。しかし、ハニカムスクリーンは、前述のように２枚のプリーツスクリーンを前後に配置した構造に近いことから、ハニカムスクリーンを展開したときのセルのピッチは、プリーツスクリーンのプリーツのピッチの約１／２程度の大きさになる。このため、上側の遮蔽材と下側の遮蔽材とのピッチが異なることになり、両遮蔽材を展開したときに意匠的な違和感が生じる。そして、この違和感は、遮蔽材を畳み込んだときの前後幅が大きいほど顕著になるという問題があった。
【０００６】
そこで、本発明は、このような問題に鑑みてなされたもので、その目的とするところは、中間バーの上下の遮蔽材にハニカムスクリーンとプリーツスクリーンを用いた際に、これらを展開したときに意匠的な違和感を生じさせることがない上下２段式ブラインドを提供することにある。
【課題を解決するための手段】
【０００７】
上記課題を解決するために、本発明によれば、中間バーの上下にそれぞれ異なる遮蔽材が配設される上下２段式ブラインドにおいて、上下の遮蔽材のうち、一方が上下方向に複数のプリーツが畳み込み及び展開可能に形成されてなるプリーツスクリーンであり、他方が断面６角形の筒状のセルが上下方向に連結されて畳み込み及び展開可能に形成されてなるハニカムスクリーンであり、プリーツスクリーン及びハニカムスクリーンを展開した状態で、プリーツスクリーンのプリーツのピッチとハニカムスクリーンのセルのピッチとがほぼ同じであることを特徴とする上下２段式ブラインドを提供する。
【０００８】
かかる発明によれば、プリーツスクリーン及びハニカムスクリーンを展開したときに、プリーツスクリーンのプリーツのピッチとハニカムスクリーンのセルのピッチとがほぼ同じであるため、意匠的な違和感を生じさせることがない。なお、「ほぼ同じ」とは、視覚的に「同じ」と感じられる程度の構成をいう。
【０００９】
また、プリーツスクリーン及びハニカムスクリーンは、これらを畳み込んだ状態で、プリーツの前後幅がセルの前後幅よりも小さいものとしてもよい。一般的には、畳み込んだ状態で、プリーツスクリーンのプリーツの前後幅がハニカムスクリーンのセルの前後幅と同じ場合、展開したときのプリーツのピッチの方がセルのピッチよりも大きくなる。しかし、プリーツの前後幅をセルの前後幅よりも小さくすることにより、展開したときのプリーツのピッチとセルのピッチとをほぼ同じにすることができる。これにより、プリーツスクリーン及びハニカムスクリーンを展開したときの意匠的な違和感を生じさせることがない。
【００１０】
さらに、プリーツスクリーン及びハニカムスクリーンは、これらを畳み込んだ状態で、プリーツの前後幅がセルの前後幅の０．４〜０．８倍であり、これらを展開した状態で、プリーツのピッチがセルのピッチの０．７〜１．２倍であるものとしてもよい。このように、プリーツの前後幅をセルの前後幅の０．４〜０．８倍とし、プリーツのピッチをセルのピッチの０．７〜１．２倍としたことにより、展開したときのプリーツのピッチとセルのピッチとをほぼ同じにすることができる。これにより、プリーツスクリーン及びハニカムスクリーンを展開したときの意匠的な違和感を生じさせることがない。
【００１１】
また、プリーツスクリーン及びハニカムスクリーンを畳み込んだ状態で、プリーツの前後幅とセルの前後幅とがほぼ同じであるものとしてもよい。これにより、畳み込んだ状態でのプリーツとセルの前後幅がほぼ同じであり、展開した状態でのプリーツとセルのピッチがほぼ同じであるため、畳み込んだ状態でも展開した状態でも意匠的な違和感を生じさせることがない。なお、「ほぼ同じ」とは、視覚的に「同じ」と感じられる程度の構成をいう。
【発明の効果】
【００１２】
本発明によれば、プリーツスクリーン及びハニカムスクリーンを展開したときに、プリーツスクリーンのプリーツのピッチとハニカムスクリーンのセルのピッチとがほぼ同じであるため、意匠的な違和感を生じさせることがない。
本発明のその他の効果については、以下の発明を実施するための形態の項でも説明する。
【図面の簡単な説明】
【００１３】
【図１】上下２段式ブラインドの正面図であり、（ａ）は、本発明の第１の実施形態に係るものであり、（ｂ）は、従来技術に係るものである。
【図２】上下２段式ブラインドの側断面図であり、（ａ）は、本発明の第１の実施形態に係るものであり、（ｂ）は、従来技術に係るものである。
【図３】第１の実施形態に係る上下２段式ブラインドにおいて、ハニカムスクリーンを畳み込み、プリーツスクリーンを展開した状態を示す正面図である。
【図４】第１の実施形態に係る上下２段式ブラインドにおいて、ハニカムスクリーンを展開し、プリーツスクリーンを全て畳み込んだ状態を示す正面図である。
【図５】プリーツスクリーン及びハニカムスクリーンの両方を畳み込んだ状態を示す正面図である。
【図６】第２の実施形態に係る上下２段式ブラインドの側断面図である。
【図７】第３の実施形態に係る上下２段式ブラインドの側断面図である。
【発明を実施するための形態】
【００１４】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１５】
（第１の実施形態）
第１の実施形態に係る上下２段式ブラインドについて、図１〜図４を参照しながら説明する。図１は、上下２段式ブラインドの正面図である。図２は、上下２段式ブラインドの側面図である。図３は、ハニカムスクリーンを畳み込み、プリーツスクリーンを展開した状態を示す正面図である。図４は、ハニカムスクリーンを展開し、プリーツスクリーンを畳み込んだ状態を示す正面図である。図５は、プリーツスクリーン及びハニカムスクリーンの両方を畳み込んだ状態を示す正面図である。
【００１６】
まず、図１（ａ）及び図２（ａ）を参照しながら、本実施形態に係る上下２段式ブラインド１００の構成を説明する。上下２段式ブラインド１００は、図１（ａ）に示すように、ブラケット１１０により図示していない窓枠等に固定されるヘッドボックス１２０と、ヘッドボックス１２０に上端が連結されるプリーツスクリーン（遮蔽材）１３０と、プリーツスクリーン１３０の下端に連結される中間バー１４０と、中間バー１４０に上端が連結されるハニカムスクリーン（遮蔽材）１５０と、ハニカムスクリーン１５０の下端に連結されるボトムレール１６０と、ヘッドボックス１２０から垂下し、プリーツスクリーン１３０、中間バー１４０及びハニカムスクリーン１５０をそれぞれ挿通して、ボトムレール１６０を昇降可能に吊下げる複数の昇降コード１７０と、ヘッドボックス１２０から垂下し、プリーツスクリーン１３０を挿通して、中間バー１４０を昇降可能に吊下げる複数の調光コード１８０と、ヘッドボックス１２０内に設けられ、昇降コード１７０及び調光コード１８０の昇降を行う駆動装置１９０と、を備えて構成される。以下、上下２段式ブラインド１００の各構成について詳細に説明する。
【００１７】
（ヘッドボックス１２０）
ヘッドボックス１２０は、図１（ａ）に示したように、長尺な箱型に構成されており、これのほぼ全長にわたってプリーツスクリーン１３０の上端部が連結される。ヘッドボックス１２０内には上述の駆動装置１９０が設けられている。
【００１８】
（プリーツスクリーン１３０）
プリーツスクリーン１３０は、上下方向に複数のプリーツが畳み込み及び展開可能に形成されてなり、各プリーツ１３１には、上述の昇降コード１７０及び調光コード１８０が挿通する挿通孔１３２が形成されている。また、プリーツスクリーン１３０の上端は幅方向全長にわたってヘッドボックス１２０に連結されており、プリーツスクリーン１３０の下端は、幅方向全長にわたって中間バー１４０の上面１４１に連結されている。プリーツスクリーン１３０の背面側には、図２（ａ）に示したように、ヘッドボックス１２０と中間バー１４０とを連結するピッチコード１３３と、各プリーツ１３１に一対一に対応し、ピッチコード１３３と昇降コード１７０とを連結する複数のループコード１３４とが設けられ、これらによって展開時におけるプリーツ１３１のピッチが保持されている。各ループコード１３４同士は、プリーツ１３１と同じピッチで配設されている。
【００１９】
（中間バー１４０）
中間バー１４０は、長尺な直方体状であり、上述の昇降コード１７０が挿通する図示していない挿通孔が上下方向に貫通している。中間バー１４０の下面１４２には、ハニカムスクリーン１５０の上端が幅方向全長にわたって連結されている。
【００２０】
（ハニカムスクリーン１５０）
ハニカムスクリーン１５０は、断面６角形の筒状のセルが上下方向に連結されて畳み込み及び展開可能に形成されてなり、各セル１５１の上下面には、上述の昇降コード１７０が挿通する図示していない挿通孔が形成されている。ハニカムスクリーン１５０の下端は幅方向全長にわたってボトムレール１６０に連結されている。
【００２１】
（ボトムレール１６０）
ボトムレール１６０は、長尺な直方体状であり、前後方向及び幅方向において中間バー１４０と同じ大きさに構成されている。
【００２２】
（昇降コード１７０）
昇降コード１７０は、一端がヘッドボックス１２０内の駆動装置１９０に連結されており、他端がヘッドボックス１２０から垂下している。そして、ヘッドボックス１２０から垂下した他端は、プリーツスクリーン１３０の各プリーツ１３１の挿通孔１３２、中間バー１４０の挿通孔、及びハニカムスクリーン１５０の各セル１５１の挿通孔、をそれぞれ上方から下方に向かって順次挿通して、ボトムレール１６０に連結されている。これにより、ボトムレール１６０は昇降コード１７０によって昇降可能に吊下げ支持される。
【００２３】
（調光コード１８０）
調光コード１８０は、一端がヘッドボックス１２０内の駆動装置１９０に連結されており、他端がヘッドボックス１２０から垂下している。そして、ヘッドボックス１２０から垂下した他端は、プリーツスクリーン１３０の各プリーツ１３１の挿通孔１３２を上方から下方に向かって順次挿通して、中間バー１４０に連結されている。これにより、中間バー１４０は調光コード１８０によって昇降可能に吊下げ支持される。
【００２４】
（駆動装置１９０）
駆動装置１９０は、図２（ａ）に示したように、ヘッドボックス１２０の前後方向に並設される第１回転軸１９１及び第２回転軸１９２と、第１回転軸１９１が一体に回転するように貫通する第１巻取ドラム１９３と、第２回転軸１９２が一体に回転するように貫通する第２巻取ドラム１９４と、図１（ａ）に示したように、第１回転軸１９１及び第２回転軸１９２のそれぞれに設けられ、これらの回転を拘束するストッパ１９５、１９５（なお、第２回転軸１９２のストッパ１９５は第１回転軸１９１のストッパ１９５により図１（ａ）では見えない）と、ヘッドボックス１２０の一端部近傍に設けられ、操作力が伝達される回転軸を第１回転軸１９１と第２回転軸１９２との間で切換えるコントロールユニット１９７と、第１回転軸１９１及び第２回転軸１９２のそれぞれに設けられ、これらの回転を減速するブレーキ１９６（なお、第２回転軸１９２のブレーキは第１回転軸１９１のブレーキ１９６により図１（ａ）では見えない）と、コントロールユニット１９７を介して第１回転軸１９１又は第２回転軸１９２に回転を伝達するプーリ１９８と、プーリ１９８に巻き掛けられてヘッドボックス１２０から垂下され、プーリ１９８の回転駆動を操作する操作部としての操作チェーン１９９と、第１回転軸１９１に設けられ、第１回転軸１９１と第２回転軸１９２とを独立的に回転させる単独状態と、連動して回転させる連動状態とに切替可能な連動機構２００と、を備える。
【００２５】
第１巻取ドラム１９３には、図２（ａ）に示したように、ヘッドボックス１２０内に導入された昇降コード１７０の一端が連結されており、昇降コード１７０が第１巻取ドラム１９３に巻取られたり巻解かれたりすることにより、ボトムレール１６０が昇降する。これにより、プリーツスクリーン１３０及びハニカムスクリーン１５０が畳み込まれたり展開されたりする。
【００２６】
また、第２巻取ドラム１９４には、図２（ａ）に示したように、ヘッドボックス１２０内に導入された調光コード１８０の一端が連結されている。調光コード１８０が第２巻取ドラム１９４に巻取られたり巻解かれたりすることにより、中間バー１４０が昇降して、プリーツスクリーン１３０が畳み込まれたり展開されたりする。
【００２７】
コントロールユニット１９７内には図示していない操作切替手段が配設されている。操作切替手段は、操作チェーン１９９の手前側又は奥側の一方を操作することにより第１回転軸１９１に操作力を伝達し、他方を操作することにより第２回転軸１９２に操作力を伝達する。このように、操作切替手段は、操作力が伝達される回転軸を、第１回転軸１９１と第２回転軸１９２との間で切換える。
【００２８】
連動機構２００は、第１回転軸１９１と第２回転軸１９２とを独立的に回転させる単独状態と連動して回転させる連動状態とに切り替えるものである。連動機構２００は、後述のように、調光コード１８０に中間バー１４０の自重がかかり緊張状態のときに単独状態となり、調光コード１８０に中間バー１４０の自重がかからず弛んだときに連動状態となる。
【００２９】
次に、本実施形態で用いられるプリーツスクリーン１３０とハニカムスクリーン１５０について、図２（ａ）を参照しながら説明する。
【００３０】
本実施形態において、プリーツスクリーン１３０とハニカムスクリーン１５０は、畳み込み時における、プリーツスクリーン１３０のプリーツ１３１の前後幅をＡ、ハニカムスクリーン１５０のセル１５１の前後幅をＢとしたときに、「Ａ＝０．４Ｂ〜０．８Ｂ」を満足し、展開時における、プリーツ１３１のピッチをＸ、セル１５１のピッチをＹとしたときに、「Ｙ＝０．７Ｘ〜１．２Ｘ」を満足するように、プリーツ１３１の大きさとセル１５１の大きさが設定される。この「Ｙ＝０．７Ｘ〜１．２Ｘ」はプリーツ１３１のピッチとセル１５１のピッチとがほぼ同じであると視認される大きさであり、したがって、意匠的な違和感を生じさせることがない大きさである。以後、上記「Ａ＝０．４Ｂ〜０．８Ｂ」を前後幅の規定値、「Ｙ＝０．７Ｘ〜１．２Ｘ」をピッチの規定値と呼ぶ。
【００３１】
そして、本実施形態では、上記範囲内である「Ａ：Ｂ＝０．５６：１」及び「Ｘ：Ｙ＝１：１．０５」を満足するように、プリーツ１３１の前後幅Ａとセル１５１の前後幅Ｂを設定している。より具体的には、プリーツ１３１の前後幅Ａを２５ｍｍ、セル１５１の前後幅Ｂを４５ｍｍに設定している。これらの設定値は、前後幅の規定値とピッチの規定値を満足している。これにより、展開時におけるプリーツスクリーン１３０のプリーツ１３１のピッチとハニカムスクリーン１５０のセル１５１のピッチとが、ほぼ同じであると視認されるため、意匠的な違和感が生じることはない。
【００３２】
これに対して、従来の上下２段式ブラインドにおいては、図１（ｂ）及び図２（ｂ）に示したように、プリーツスクリーン１３０のプリーツ１３１の前後幅Ａ：ハニカムスクリーン１５０のセル１５１の前後幅Ｂ＝１：１に設定するとともに、プリーツ１３１の屈曲角度を本実施形態のプリーツ１３１の屈曲角度である一般的なプリーツスクリーン１３０のプリーツ１３１の屈曲角度に設定している。このため、プリーツ１３１のピッチＸ：セル１５１のピッチＹ＝１：０．５５となり、プリーツ１３１のピッチＸがセル１５１のピッチＢの約２倍の大きさになる。よって、プリーツ１３１の前後幅Ａとセル１５１の前後幅Ｂとを同じ大きさにし、プリーツ１３１の屈曲角度を一般的なプリーツスクリーン１３０のプリーツ１３１の屈曲角度にすると、意匠的な違和感が生じることになる。
【００３３】
次に、本実施形態の動作について説明する。
図１（ａ）に示す状態からプリーツスクリーン１３０を展開してハニカムスクリーン１５０を畳み込む場合、操作チェーン１９９を操作して第２回転軸１９２を所定の方向に回転させ、図示しない第２回転軸１９２のストッパ１９５を解除する。これにより、第２回転軸１９２はストッパ１９５の拘束から解除されて回転が自由になり、中間バー１４０の自重によって第２巻取ドラム１９４が調光コード１８０を巻解き、調光コード１８０の他端とともに中間バー１４０が下降していく。よって、ハニカムスクリーン１５０が上方から下方に向かって順次畳み込まれていく。そして、図３に示したように、ハニカムスクリーン１５０を完全に畳み込むと、プリーツスクリーン１３０のみが展開した状態になる。この後、操作チェーン１９９の操作を終了すると、ストッパ１９５によって第２回転軸１９２の回転が拘束され、プリーツスクリーン１３０のみが展開した状態が保持される。
【００３４】
一方、プリーツスクリーン１３０を畳み込む場合、操作チェーン１９９を操作して第２回転軸１９２を所定の方向に回転させる。これにより、第２巻取ドラム１９４が調光コード１８０を巻取り、調光コード１８０の他端とともに中間バー１４０が上昇していく。よって、プリーツスクリーン１３０が下方から上方に向かって順次畳み込まれていく。そして、図４に示したように、プリーツスクリーン１３０を完全に畳み込むと、ハニカムスクリーン１５０のみが展開した状態になる。この後、操作チェーン１９９の操作を終了すると、ストッパによって第２回転軸１９２の回転が拘束され、ハニカムスクリーン１５０のみが展開した状態が保持される。
【００３５】
次に、プリーツスクリーン１３０及びハニカムスクリーン１５０の両方を畳み込む場合について説明する。プリーツスクリーン１３０及びハニカムスクリーン１５０の両方が展開されている状態では、調光コード１８０が緊張状態にあるため、連動機構１９７は単独状態となっている。そこで、まず、操作チェーン１９９を操作して第１回転軸１９１のみを所定方向に回転させると、第１回転軸１９１が回転して第１巻取ドラム１９３が昇降コード１７０を巻取り、ハニカムスクリーン１５０を完全に畳み込む。その後、引き続き操作チェーン１９９を操作して、第１巻取ドラム１９３に昇降コード１７０を巻き取らせる。これにより、畳み込まれたハニカムスクリーン１５０が中間バー１４０に当接し、ボトムレール１６０が中間バー１４０を押し上げる。このため、調光コード１８０に中間バー１４０の自重がかからないために弛み、連動機構１９７が連動状態になる。よって、第１回転軸１９１及び第２回転軸１９２が一体に回転して、第１巻取ドラム１９３が昇降コード１７０を巻取り、第２回転ドラム１９４が調光コード１８０を巻取っていく。これにより、ボトムレール１６０と中間バー１４０が一体に上昇し、プリーツスクリーン１３０が下方から上方に向かって順次畳み込まれていく。よって、図５に示したように、プリーツスクリーン１３０が完全に畳み込まれる。この後、操作チェーン１９９の操作を終了すると、第１、第２回転軸１９１、１９２の回転がストッパ１９５、１９５によってそれぞれ拘束される。よって、プリーツスクリーン１３０及びハニカムスクリーン１５０の畳み込まれた状態が維持される。
【００３６】
プリーツスクリーン１３０及びハニカムスクリーン１５０を展開する場合、操作チェーン１９９を操作して、ストッパ１９５を解除する。これにより、ボトムレール１６０及びハニカムスクリーン１５０、中間バー１４０及びプリーツスクリーン１３０が自重によりそれぞれ下降し、プリーツスクリーン１３０及びハニカムスクリーン１５０が展開する。このような下降時において、第１、第２回転軸１９１、１９２の回転は、ブレーキ１９６、１９６によってそれぞれ減速されるため、下降時の衝撃が緩和される。なお、プリーツスクリーン１３０のみ、及びハニカムスクリーン１５０のみを展開する場合も、上記と同様に下降するものである。
【００３７】
以上説明したように、本実施形態によれば、プリーツ１３１の前後幅Ａ：セル１５１の前後幅Ｂ＝０．５６：１、及びプリーツ１３１のピッチＸ：セル１５１のピッチＹ＝１：１．０５を満足するように、プリーツ１３１の前後幅Ａを２５ｍｍ、セル１５１の前後幅Ｂを４５ｍｍに設定する。セル１５１のピッチＹ＝１．０５Ｘは、上記ピッチの規定値の範囲内にあり、これは、プリーツスクリーン１３０のプリーツ１３１のピッチと、ハニカムスクリーン１５０のセル１５１のピッチとがほぼ同じであると視認される大きさである。このため、展開時におけるプリーツスクリーン１３０とハニカムスクリーン１５０に意匠的な違和感が生じることはない。
【００３８】
（第２の実施形態）
第２の実施形態に係る上下２段式ブラインドについて、図６を参照しながら説明する。本実施形態の上下２段式ブラインドは、上記第１の実施形態に係る上下２段式ブラインドのうち、プリーツスクリーン１３０のプリーツ１３１の前後幅Ａ及びピッチＸとハニカムスクリーン１５０のセル１５１の前後幅Ｂ及びピッチＹに特徴を有するものである。本実施形態では、プリーツ１３１の前後幅Ａ及びピッチＸとセル１５１の前後幅Ｂ及びピッチＹについてのみ説明をすることとし、その他の部分については、上記第１の実施形態と同様であるため、重複説明を省略する。
【００３９】
本実施形態では、畳み込み時における、プリーツ１３１の前後幅Ａ：セル１５１の前後幅Ｂ＝０．７８：１とし、展開時における、プリーツ１３１のピッチＸ：セル１５１のピッチＹ＝１：０．７２を満足するように、プリーツ１３１の前後幅Ａを３５ｍｍ、セル１５１の前後幅Ｂを４５ｍｍに設定している。
【００４０】
これらの値は、Ａ＝０．７８Ｂ、Ｙ＝０．７２Ｘを満足しており、上記前後幅の規定値及びピッチの規定値の範囲内にある。これは、展開時におけるプリーツ１３１のピッチとセル１５１のピッチとが同じであると視認される大きさである。これらの値に設定することにより、展開時におけるプリーツスクリーン１３０とハニカムスクリーン１５０との間で意匠的な違和感が生じることはない。
【００４１】
（第３の実施形態）
第３の実施形態に係る上下２段式ブラインドについて、図７を参照しながら説明する。本実施形態の上下２段式ブラインドは、上記第１の実施形態に係る上下２段式ブラインドのうち、プリーツスクリーン１３０のプリーツ１３１の前後幅Ａ及びピッチＸとハニカムスクリーン１５０のセル１５１の前後幅Ｂ及びピッチＹに特徴を有するものである。本実施形態では、プリーツ１３１の前後幅Ａ及びピッチＸとセル１５１の前後幅Ｂ及びピッチＹについてのみ説明をすることとし、その他の部分については、上記第１の実施形態と同様であるため、重複説明を省略する。
【００４２】
本実施形態では、畳み込み時における、プリーツ１３１の前後幅Ａ：セル１５１の前後幅Ｂ＝１：１とし、展開時における、プリーツ１３１のピッチＸ：セル１５１のピッチＹ＝１：１を満足するように、プリーツスクリーン１３０のピッチコード１３３におけるループコード１３４のピッチＺを、セル１５１のピッチＹと同程度に設定したものである。これにより、ピッチコード１３３及びループコード１３４によって、プリーツ１３１のピッチＸが矯正的にセル１５１のピッチＹとほぼ同じになる。このときのプリーツ１３１の開き角度は、３０°〜６０°の範囲となっている。したがって、畳み込み時におけるプリーツとセルの前後幅がほぼ同じであり、展開時におけるプリーツとセルのピッチもほぼ同じであるため、畳み込んだ状態でも展開した状態でも両者の間で意匠的な違和感を生じさせることがない。
【００４３】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００４４】
１３０  プリーツスクリーン（遮蔽材）
１３１  プリーツ
１４０  中間バー
１５０  ハニカムスクリーン（遮蔽材）
１５１  セル
【図１】
2015081483.tif 000003
【図２】
2015081483.tif 000004
【図３】
2015081483.tif 000005
【図４】
2015081483.tif 000006
【図５】
2015081483.tif 000007
【図６】
2015081483.tif 000008
【図７】
2015081483.tif 000009